(57)【要約】【課題】入子の損傷を抑制することができるダイカスト金型装置を提供する。【解決手段】実施形態に係るダイカスト金型装置１は、キャビティ３０に面した第１壁面７１を有する第１壁部５１と、キャビティ３０に面した第２壁面７２を有する第２壁部５２と、を含む入子２０を備えたダイカスト金型装置１であって、第１壁面７１に対して第２壁面７２が所定の角度を有するように第１壁部５１と第２壁部５２とはＬ字状に接続され、第１壁部５１における第１壁面７１の反対側の面及び第２壁部５２における第２壁面７２の反対側の面の少なくともいずれか一方には、肉盗み空間２８となる凹部が形成されている。【選択図】図８
2019122975.tif 000002
【特許請求の範囲】
【請求項１】
キャビティに面した第１壁面を有する第１壁部と、前記キャビティに面した第２壁面を有する第２壁部と、を含む入子を備えたダイカスト金型装置であって、
前記第１壁面に対して前記第２壁面が所定の角度を有するように前記第１壁部と前記第２壁部とはＬ字状に接続され、
前記第１壁部における前記第１壁面の反対側の面及び前記第２壁部における前記第２壁面の反対側の面の少なくともいずれか一方には、肉盗み空間となる凹部が形成された、
ダイカスト金型装置。
【発明の詳細な説明】
【技術分野】
【０００１】
本発明は、ダイカスト金型装置に関し、例えば、入子を備えたダイカスト金型装置に関する。
【背景技術】
【０００２】
特許文献１には、熱膨張による損傷を防止するために、外周に向けて突出させた突出部を入子に設けることが記載されている。
【先行技術文献】
【特許文献】
【０００３】
【特許文献１】特開２０１２−０２４８３０号公報
【特許文献２】特公昭５９−０１４２９３号公報
【特許文献３】特開２００４−２２３５９８号公報
【発明の概要】
【発明が解決しようとする課題】
【０００４】
特許文献１のダイカスト金型装置は、入子の熱膨張による変形を緩和させるために、突出部を設けているが、突出部が想定以上に熱膨張して、変形する場合があり、この場合には、入子が損傷してしまう虞がある。
【０００５】
本発明は、このような課題を解決するためになされたものであり、入子の損傷を抑制することができるダイカスト金型装置を提供する。
【課題を解決するための手段】
【０００６】
本発明の一態様に係るダイカスト金型装置は、キャビティに面した第１壁面を有する第１壁部と、前記キャビティに面した第２壁面を有する第２壁部と、を含む入子を備えたダイカスト金型装置であって、前記第１壁面に対して前記第２壁面が所定の角度を有するように前記第１壁部と前記第２壁部とはＬ字状に接続され、前記第１壁部における前記第１壁面の反対側の面及び前記第２壁部における前記第２壁面の反対側の面の少なくともいずれか一方には、肉盗み空間となる凹部が形成されている。このような構成とすることにより、入子の損傷を抑制することができる。
【発明の効果】
【０００７】
本発明により、入子の損傷を抑制することができるダイカスト金型装置を提供することができる。
【図面の簡単な説明】
【０００８】
【図１】実施形態１に係るダイカスト金型装置を例示した断面図である。
【図２】実施形態１に係るダイカスト金型装置の入子を例示した図であり、（ａ）は、上面図を示し、（ｂ）は、断面図を示し、（ｃ）は、下面図を示す。
【図３】実施形態１に係るダイカスト金型装置の入子を例示した図であり、（ａ）は、上面図を示し、（ｂ）は、断面図を示し、（ｃ）は、下面図を示す。
【図４】比較例１に係るダイカスト金型装置を例示した断面図である。
【図５】比較例１に係るダイカスト金型装置の入子を例示した拡大図である。
【図６】比較例１に係るダイカスト金型装置の入子の変位量を例示した図である。
【図７】比較例１に係るダイカスト金型装置の入子の変位量を例示した図である。
【図８】実施形態１に係るダイカスト金型装置の入子を例示した拡大図である。
【図９】実施形態１に係るダイカスト金型装置の入子の変位量を例示した図である。
【図１０】実施形態１、比較例２及び比較例３に係るダイカスト金型装置の比較を例示した図である。
【図１１】実施形態２に係るダイカスト金型装置の入子を例示した図であり、（ａ）は断面図を示し、（ｂ）は、下面図を示す。
【図１２】実施形態３に係るダイカスト金型装置の入子を例示した図であり、（ａ）は、断面図を示し、（ｂ）は、下面図を示す。
【図１３】実施形態４に係るダイカスト金型装置の入子を例示した図であり、（ａ）は、上面図を示し、（ｂ）は、断面図を示し、（ｃ）は、下面図を示す。
【図１４】実施形態５に係るダイカスト金型装置の入子を例示した図であり、（ａ）は、上面図を示し、（ｂ）は、断面図を示し、（ｃ）は、下面図を示す。
【図１５】実施形態６に係るダイカスト金型装置の入子を例示した図であり、（ａ）は、断面図を示し、（ｂ）は、下面図を示す。
【図１６】実施形態６の別の例に係るダイカスト金型装置の入子を例示した断面図である。
【図１７】実施形態６に係るダイカスト金型装置の入子を例示した拡大図である。
【図１８】実施形態６に係るダイカスト金型装置の入子の変位量を例示した図である。
【発明を実施するための形態】
【０００９】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１０】
（実施形態１）
実施形態１のダイカスト金型装置を説明する。図１は、実施形態１に係るダイカスト金型装置を例示した断面図である。図１に示すように、ダイカスト金型装置１は、入子１０と、入子２０と、を備えている。入子１０及び入子２０は、ダイカスト金型装置１の主型の内部に嵌め込まれている。例えば、ダイカスト金型装置１の内部において、入子１０は、入子２０の上方に配置されている。
【００１１】
入子１０の下面１１は、入子２０の上面２２に当接している。入子１０の下面１１には、凹部１３が形成されている。入子２０の上面２２には、凹部２３が形成されている。入子１０の下面１１と入子２０の上面２２が当接することにより、凹部１３と凹部２３とは一体化する。一体化した凹部１３と凹部２３とによりキャビティ３０が形成される。
【００１２】
図２は、実施形態１に係るダイカスト金型装置１の入子１０を例示した図であり、（ａ）は、上面図を示し、（ｂ）は、断面図を示し、（ｃ）は、下面図を示す。図２（ａ）及び（ｂ）に示すように、入子１０は、例えば、上方から見て矩形状の部材である。なお、入子１０を上方から見た形状は、矩形状に限らない。入子１０の上面１２には、上方から見て、環状の溝１４が形成されている。溝１４は、矩形の環状となっている。溝１４は、上面１２において凹部からなる肉盗み空間１８となっている。
【００１３】
図２（ｂ）及び（ｃ）に示すように、入子１０の下面１１に形成された凹部１３は、下方から見て、例えば、矩形状である。凹部１３の底面１５は平面の部分を有している。凹部１３の底面１５は、凹部１３の側面１６と接続されている。凹部１３の側面１６は、平面の部分を有している。底面１５と側面１６とは、所定の角度で接続している部分を含んでいる。例えば、底面１５と側面１６とは、略９０［°］で接続し、断面がＬ字状の部分を含んでいる。なお、底面１５及び側面１６は、キャビティ３０に面した成形面であり、製品形状に型取りされている。
【００１４】
入子１０は、凹部１３の底面１５を含む部分と、凹部１３の側面１６を含む部分と、を含んでいる。凹部１３の底面１５を含む部分を第１壁部４１という。凹部１３の側面１６を含む部分を第２壁部４２という。入子１０は、第１壁部４１と、第２壁部４２と、を含んでいる。第１壁部４１と第２壁部４２とは、鉛直方向の断面がＬ字状に接続している部分を含んでいる。
【００１５】
凹部１３の底面１５を第１壁面６１とすれば、第１壁部４１は、キャビティ３０に面した第１壁面６１を有している。凹部１３の側面１６を第２壁面６２とすれば、第２壁部４２は、キャビティ３０に面した第２壁面６２を有している。第１壁面６１及び第２壁面６２は、成形面である。第１壁面６１に対して第２壁面６２が所定の角度を有するように、第１壁部４１と第２壁部４２とはＬ字状に接続されている。第１壁部４１における第１壁面６１の反対側の上面１２には、溝１４が形成されている。よって、第１壁部４１における第１壁面６１の反対側の面には、肉盗み空間１８となる凹部が形成されている。
【００１６】
図３は、実施形態１に係るダイカスト金型装置１の入子２０を例示した図であり、（ａ）は、上面図を示し、（ｂ）は、断面図を示し、（ｃ）は、下面図を示す。
【００１７】
図３（ａ）及び（ｂ）に示すように、入子２０の上面２２には凹部２３が形成されている。凹部２３は、上方から見て、例えば、矩形状である。凹部２３の底面２５は平面の部分を有している。凹部２３の底面２５は、凹部２３の側面２６と接続されている。凹部２３の側面２６は、平面の部分を有している。底面２５と側面２６とは、所定の角度で接続している部分を含んでいる。例えば、底面２５と側面２６とは、略９０［°］で接続し、断面がＬ字状の部分を含んでいる。底面２５と側面２６とは、キャビティ３０に面した成形面である。
【００１８】
図３（ｂ）及び（ｃ）に示すように、入子２０は、下方から見て、例えば、矩形状の部材である。なお、入子２０の形状は、矩形状に限らない。入子２０の下面２１には、環状の溝２４が形成されている。溝２４は、下方から見て矩形の環状となっている。溝２４は、下面２１において、凹部からなる肉盗み空間２８となっている。また、入子２０の溝２４で囲まれた下面２１には、凹部２７が形成されている。凹部２７は、下方から見て矩形状である。凹部２７は、下面において、肉盗み空間２８となっている。
【００１９】
入子２０は、凹部２３の底面２５を含む部分と、凹部２３の側面２６を含む部分と、を含んでいる。凹部２３の底面２５を含む部分を第１壁部５１という。凹部２３の側面２６を含む部分を第２壁部５２という。入子２０は、第１壁部５１と、第２壁部５２と、を含んでいる。第１壁部５１と第２壁部５２とは、鉛直方向の断面が、Ｌ字状に接続されている。
【００２０】
凹部２３の底面２５を第１壁面７１とすれば、第１壁部５１は、キャビティ３０に面した第１壁面７１を有している。凹部２３の側面２６を第２壁面７２とすれば、第２壁部５２は、キャビティ３０に面した第２壁面７２を有している。第１壁面７１及び第２壁面７２は、成形面である。第１壁面７１に対して第２壁面７２が所定の角度を有するように、第１壁部５１と第２壁部５２とはＬ字状に接続されている。
【００２１】
第１壁部５１における第１壁面７１の反対側の下面２１には、凹部２７が形成されている。また、第２壁部５２における第２壁面７２の反対側の下面には溝２４が形成されている。したがって、第１壁部５１における第１壁面７１の反対側の面には、肉盗み空間２８となる凹部が形成されている。第２壁部５２における第２壁面７２の反対側の面には、肉盗み空間２８となる凹部が形成されている。よって、第１壁部５１における第１壁面７１の反対側の面及び第２壁部５２における第２壁面７２の反対側の面の少なくともいずれか一方には、肉盗み空間２８となる凹部が形成されている。
【００２２】
次に、本実施形態に係るダイカスト金型装置１の効果を説明する前に、比較例１〜３を説明する。そして、比較例１〜３と対比させて、本実施形態に係るダイカスト金型装置１の効果を説明する。
【００２３】
（比較例１）
図４は、比較例１に係るダイカスト金型装置１０１を例示した断面図である。図４に示すように、比較例１のダイカスト金型装置１０１は、入子１１０と、入子１２０と、を備えている。入子１１０の下面１１１には、凹部１１３が形成され、入子１２０の上面１２２には、凹部１２３が形成されている。凹部１１３には、底面１１５及び側面１１６が形成されている。凹部１２３には、底面１２５及び側面１２６が形成されている。入子１１０の下面１１１に形成された凹部１１３と、入子１２０の上面１２２に形成された凹部１２３とは、一体化してキャビティ１３０が形成されている。
【００２４】
このように、入子１１０及び入子１２０によって、キャビティ１３０が形成されている点については、実施形態１に係るダイカスト金型装置１の入子１０及び２０と同様である。しかしながら、比較例１においては、入子１１０の上面１１２に溝が設けられていない。また、入子１２０の下面１２１に溝及び凹部が設けられていない。したがって、底面１１５を含む第１壁部１４１及び側面１１６を含む第２壁部１４２には、肉盗み空間が形成されていない。底面１２５を含む第１壁部１５１及び側面１２６を含む第２壁部１５２には、肉盗み空間が形成されていない。
【００２５】
図５は、比較例１に係るダイカスト金型装置１０１の入子１２０を例示した拡大図である。図５に示すように、比較例１のダイカスト金型装置１０１の入子１２０では、熱膨張により、凹部１２３が畳まれるように変形する。第１壁部１５１は、熱膨張により、キャビティ１３０に向かう方向に熱膨張する。これにより、底面１２５である第１壁面１７１は、キャビティ１３０に向かう方向に突出するように変形する。
【００２６】
第２壁部１５２は、熱膨張により、キャビティ１３０に向かう方向に熱膨張する。これにより、側面１２６である第２壁面１７２は、キャビティ１３０に向かう方向に突出するように変形する。そうすると、第１壁面１７１と第２壁面１７２が交差する部分１３１は、第１壁部１５１の熱膨張と、第２壁部１５２の熱膨張とが対抗する。一方、交差する部分１３１から離れた部分では、交差する部分１３１から離れるほど、キャビティ１３０側に熱膨張する。
【００２７】
これにより、第１壁面１７１と第２壁面１７２とのなす角θ１が小さくなるように変形する。すなわち、凹部１２３が畳まれるように変形する。この変形により、交差する部分１３１に高い応力が集中する。そして、交差する部分１３１にクラック等が発生する場合がある。
【００２８】
図６は、比較例１に係るダイカスト金型装置１０１の入子１２０の変位量を例示した図である。図７は、比較例１に係るダイカスト金型装置１０１の入子１２０の変位量を例示した図である。変位量は、ＣＡＥ解析による。グレースケールの濃さに応じて変位量が大きくなっている。図６及び図７に示すように、折りたたまれるような変形により、交差する部分１３１に応力が集中する。よって、交差する部分１３１にクラック等が発生する場合がある。したがって、比較例１においては、入子１１０及び１２０の損傷を抑制することが困難である。
【００２９】
図８は、実施形態１に係るダイカスト金型装置１の入子２０を例示した拡大図である。図８に示すように、実施形態１のダイカスト金型装置１の入子２０の場合も、熱膨張する。しかしながら、本実施形態の入子２０は、肉盗み空間２８を有している。よって、肉盗み空間２８は、熱膨張による変形を許容する。入子２０は、キャビティ３０に向かう方向に熱膨張するだけでなく、肉盗み空間２８に向かう方向にも熱膨張する。よって、キャビティ３０に向かう方向の熱膨張を低減させる。これにより、凹部２３が畳まれるように変形する量を低減する。すなわち、第１壁面７１と第２壁面７２とのなす角θ２は、比較例１における第１壁面７１と第２壁面７２とのなす角θ１よりも大きい（θ２＞θ１）。
【００３０】
キャビティ３０に向かう方向の熱膨張を低減させるので、第１壁面７１と第２壁面７２とが交差する部分３１に集中する応力を緩和することができる。よって、交差する部分３１におけるクラック等の発生を抑制することができる。
【００３１】
図９は、実施形態１に係るダイカスト金型装置１の入子２０の変位量を例示した図である。変位量はＣＡＥ解析による。図９に示すように、実施形態１の入子２０では、肉盗み空間２８の方向へ弾性変形させ、熱膨張を吸収している。よって、凹部２３の方向への変位量が、図７における比較例の場合よりも低減される。これにより、交差する部分３１への応力の集中を抑制し、入子１０及び２０の損傷を抑制することができる。
【００３２】
このように、実施形態１のダイカスト金型装置１によれば、第１壁部４１、５１及び第２壁部４２、５２の少なくともいずれか一方は、肉盗み空間２８を有している。よって、第１壁部４１、５１及び第２壁部４２、５２は、薄肉化され、熱膨張による変形を吸収する。これにより、Ｌ字状に交差する部分３１への応力の集中を緩和することができる。よって、交差する部分３１等にクラックが発生することを抑制する。ここで、肉盗み空間２８により薄肉化された部分は、入子１０、２０の内部の凹空間である。よって、熱膨張による変形は、突起等の点ではなく、面で受けることとなる。よって、入子１０及び２０の損傷を更に抑制することができる。
【００３３】
（比較例２及び比較例３）
次に、比較例２及び比較例３を説明する。図１０は、実施形態１、比較例２及び比較例３に係るダイカスト金型装置の比較を例示した図である。比較例２に係るダイカスト金型装置２０１は、例えば、特許文献２に記載されたダイカスト金型装置である。比較例３に係るダイカスト金型装置３０１は、例えば、特許文献３に記載されたダイカスト金型装置である。
【００３４】
図１０に示すように、比較例２に係るダイカスト金型装置２０１は、従来構造に対して、入子２２０の側面２２７に肉盗み空間２２８を形成させている。例えば、入子２２０の側面２２７を高さ方向に５等分したとき、上方の１／５を主型に接触させ、下方の４／５に肉盗み空間２２８を形成している。
【００３５】
このようにして、入子２２０が主型の内面と接触する接触部２２９を小さくしている。そして、接触部２２９を塑性変形させて熱膨張を吸収させている。しかしながら、入子２２０の側面２２７に肉盗み空間２２８があると、入子２２０が熱膨張したときに、接触部２２９が支点となって、入子２２０が横方向に膨張する。そうすると、入子２２０の凹部２２３における底面２２５と側面２２６とのなす角度が小さくなる。よって、凹部２２３が畳まれるような変形が増大する。これにより、交差する部分２３１の応力が集中する。
【００３６】
比較例３に係るダイカスト金型装置３０１は、従来構造に対して、入子３２０の側面３２７と、主型との間に隙間を形成させ、入子３２０を主型に接触させていない。入子３２０の下面３２１にキー３２９を配置して、入子３２０の位置決めを行っている。比較例３では、隙間が入子３２０の熱膨張を吸収する。しかしながら、比較例３の入子３２０は、キー３２９等を設ける必要があり、構成が複雑化する。また、入子３２０の剛性が大きいと、凹部３２３が折り畳まれる変形を低減することができない。
【００３７】
これに対して、本実施形態のダイカスト金型装置１では、第１壁部５１における第１壁面７１の反対側の面には、肉盗み空間２８となる凹部が形成されている。よって、凹部２３が折り畳まれるような変形の発生を抑制し、交差する部分３１への応力の集中を抑制することができる。これにより、入子１０及び２０の損傷を抑制することができる。
【００３８】
（実施形態２）
次に、実施形態２に係るダイカスト金型装置２を説明する。図１１は、実施形態２に係るダイカスト金型装置２の入子２０aを例示した図であり、（ａ）は断面図を示し、（ｂ）は、下面図を示す。図１１（ａ）及び（ｂ）に示すように、実施形態２の入子２０aの下面２１には、複数の溝２４が形成されている。実施形態２の入子２０ａは、実施形態１の入子２０と異なり、溝２４は、矩形の環状となっていない。矩形の環状が分割された複数の溝２４となっている。例えば、矩形状の凹部２７の各辺に沿った部分に分割されてもよい。さらに、各辺に沿った部分も分割されてもよい。複数の溝２４は、複数の凹部からなる肉盗み空間２８となっている。
【００３９】
このような構成でも、第１壁部５１における第１壁面７１の反対側の面及び第２壁部５２における第２壁面７２の反対側の面の少なくともいずれか一方には、肉盗み空間２８となる凹部が形成されている。よって、キャビティ３０に向かう方向の熱膨張を低減させ、第１壁面７１と第２壁面７２が交差する部分３１に集中する応力を緩和させることができる。これ以外の構成及び効果は、実施形態１の記載に含まれている。
【００４０】
（実施形態３）
次に、実施形態３に係るダイカスト金型装置３を説明する。図１２は、実施形態３に係るダイカスト金型装置３の入子１０ｂ及び２０ｂを例示した図であり、（ａ）は、入子１０ｂ及び２０ｂの断面図を示し、（ｂ）は、入子２０ｂの下面図を示す。
【００４１】
図１２（ａ）及び（ｂ）に示すように、入子１０ｂの上面１２には、溝１４及び凹部１７が形成されている。溝１４は、上面１２の１辺に沿って形成されている。凹部１７は、上面１２の中央部分に形成されている。入子２０ｂの下面２１には、溝２４及び凹部２７が形成されている。溝２４は、下面２１の１辺に沿って形成されている。凹部２７は、下面２１の中央部分に形成されている。溝１４、２４及び凹部１７、２７は、上面１２及び下面２１における肉盗み空間２８である。
【００４２】
このように、本実施形態においても、第１壁部４１及び５１における第１壁面６１及び７１の反対側の面、並びに、第２壁部４２及び５２における第２壁面６２及び７２の反対側の面の少なくともいずれか一方は、肉盗み空間２８となる凹部が形成されている。よって、キャビティ３０に向かう方向の熱膨張を低減させるので、第１壁面６１及び７１と、第２壁面６２及び７２とが交差する部分３１に集中する応力を緩和させることができる。これ以外の構成及び効果は、実施形態１及び２の記載に含まれている。
【００４３】
（実施形態４）
次に、実施形態４に係るダイカスト金型装置４を説明する。図１３は、実施形態４に係るダイカスト金型装置４の入子２０ｃを例示した図であり、（ａ）は、上面図を示し、（ｂ）は、断面図を示し、（ｃ）は、下面図を示す。図１３に示すように、入子１０ｃの下面１１には、円錐形の凸部が形成されている。入子２０ｃの凹部２３は、すり鉢状になっている。よって、キャビティ３０は、入子１０ｃの凸部と、入子２０ｃの凹部との間に形成されている。
【００４４】
キャビティ３０に面した成形面は、凹部２３の円錐形状の底面２５を含んでいる。凹部２３の最深部を挟んで対抗する底面２５を、底面２５ｃ及び２５ｄとすれば、底面２５ｃは、底面２５ｄに対して、所定の角度を有している。入子２０ｃの下面２１には、溝２４が形成されている。溝２４は、下方から見て、下面２１に円環状に形成されている。溝２４は、下面２１における肉盗み空間２８となっている。
【００４５】
本実施形態においても、底面２５ｃを第１壁面７１とし、底面２５ｄを第２壁面７２とすれば、第１壁部５１における第１壁面７１の反対側の面、及び、第２壁部５２における第２壁面７２の反対側の面は、肉盗み空間２８となる凹部（溝２４）が形成されている。よって、キャビティ３０に向かう方向の熱膨張を低減させ、第１壁面７１と、第２壁面７２とが交差する部分３１に集中する応力を緩和させることができる。これ以外の構成及び効果は、実施形態１〜３の記載に含まれている。
【００４６】
（実施形態５）
次に、実施形態５に係るダイカスト金型装置５を説明する。図１４は、実施形態５に係るダイカスト金型装置５の入子２０ｄを例示した図であり、（ａ）は、上面図を示し、（ｂ）は、断面図を示し、（ｃ）は、下面図を示す。図１４に示すように、入子１０ｄの下面１１には、断面がＶ字状の凸部が形成されている。入子２０の凹部２３は、断面がＶ字状になっている。よって、キャビティ３０は、入子１０ｄの凸部と、入子２０ｄの凹部２３との間に形成されている。
【００４７】
キャビティ３０に面した成形面は、凹部２３のＶ字状の底面２５を含んでいる。凹部２３の最深部を挟んで対抗する底面２５を、底面２５ｃ及び２５ｄとすれば、底面２５ｃは、底面２５ｄに対して、所定の角度を有している。入子２０ｃの下面２１には、２本の溝２４が形成されている。溝２４は、底面２５ｃ及び２５ｄの反対側の下面２１に形成されている。溝２４は、下面２１における肉盗み空間２８となっている。
【００４８】
本実施形態においても、底面２５ｃを第１壁面７１とし、底面２５ｄを第２壁面７２とすれば、第１壁部５１における第１壁面７１の反対側の面、及び、第２壁部５２における第２壁面７２の反対側の面は、肉盗み空間２８となる凹部（溝２４）が形成されている。よって、キャビティ３０に向かう方向の熱膨張を低減させ、第１壁面７１と、第２壁面７２とが交差する部分３１に集中する応力を緩和させることができる。これ以外の構成及び効果は、実施形態１〜４の記載に含まれている。
【００４９】
（実施形態６）
次に、実施形態６に係るダイカスト金型装置６を説明する。図１５は、実施形態６に係るダイカスト金型装置６の入子２０ｅを例示した図であり、（ａ）は、断面図を示し、（ｂ）は、下面図を示す。図１５（ａ）及び（ｂ）に示すように、ダイカスト金型装置６の入子２０ｅにおいて、凹部２３の底部には貫通孔が設けられている。そして、貫通孔には、分割入子８０がはめ込まれている。分割入子８０は、入子２０ｅの底部に設けられた貫通孔に勘合する形状となっている。このように、入子２０ｅと分割した分割入子８０が設けられることにより、入子２０ｅが熱膨張しても、入子２０ｅの変形の自由度を大きくし、応力を緩和させることができる。
【００５０】
図１６は、実施形態６の別の例に係るダイカスト金型装置６の入子２０ｆを例示した断面図である。図１６に示すように、分割入子８０と入子２０ｆとの間に隙間８１が設けられてもよい。このような構成とすることにより、隙間８１が拡がる方向への変形の自由度が大きくなるため、更に、応力を緩和させることができる。
【００５１】
図１７は、実施形態６に係るダイカスト金型装置６の入子２０ｅを例示した拡大図である。図１７に示すように、ダイカスト金型装置６の入子２０ｅの場合も、熱膨張する。しかしながら、本実施形態の入子２０ｅにおいては、凹部２３の底部は分割されている。分割された底部は、熱膨張による変形を容易にし、応力を緩和させる。入子２０ｅは、キャビティ３０に向かう方向に熱膨張するだけでなく、肉盗み空間２８に向かう方向にも膨張する。したがって、キャビティ３０に向かう方向の熱膨張を低減させる。これにより、凹部２３が畳まれるような変形を低減する。すなわち、第１壁面７１と第２壁面７２とのなす角θ３は、比較例１における第１壁面７１と第２壁面７２とのなす角θ１よりも大きい（θ３＞θ１）。
【００５２】
キャビティ３０に向かう方向の熱膨張を低減させるので、第１壁面７１と第２壁面７２とが交差する部分３１に集中する応力を緩和させることができる。よって、交差する部分３１におけるクラック等の発生を抑制することができる。
【００５３】
図１８は、実施形態１に係るダイカスト金型装置１の入子２０ｅの変位量を例示した図である。変位量はＣＡＥ解析による。図１８に示すように、本実施形態の入子２０ｅでは、凹部２３の底面が分割されているので、変形の自由度が大きくなっている。よって、キャビティ３０へ向かう方向への変位量が低減され、折りたたみ角度が低減される。これにより、交差する部分３１への応力の集中を抑制し、入子２０ｅの損傷を抑制することができる。これ以外の構成及び効果は、実施形態１〜５の記載に含まれている。
【００５４】
以上、本発明に係る実施の形態を説明したが、上記の構成に限らず、本発明の技術的思想を逸脱しない範囲で、変更することが可能である。
【符号の説明】
【００５５】
１  ダイカスト金型装置
１０、１０ｂ、２０、２０ａ、２０ｂ  入子
１１、２１  下面
１２、２２  上面
１３、２３  凹部
１４、２４  溝
１５、２５  底面
１６、２６  側面
１７、２７  凹部
１８、２８  肉盗み空間
３０  キャビティ
３１  交差する部分
４１、５１  第１壁部
４２、５２  第２壁部
６１、７１  第１壁面
６２、７２  第２壁面
８０  分割入子
１０１、２０１、３０１  ダイカスト金型装置
１１０、１２０、２２０、３２０  入子
１１１、１２１、３２１  下面
１１２、１２２  上面
１１３、１２３、２２３、３２３  凹部
１１５、１２５、２２５  底面
１１６、１２６、２２６  側面
２２７、３２７  側面
２２８  肉盗み空間
２２９  接触部
３２１  下面
３２９  キー
１３０  キャビティ
【図１】
2019122975.tif 000003
【図２】
2019122975.tif 000004
【図３】
2019122975.tif 000005
【図４】
2019122975.tif 000006
【図５】
2019122975.tif 000007
【図６】
2019122975.tif 000008
【図７】
2019122975.tif 000009
【図８】
2019122975.tif 000010
【図９】
2019122975.tif 000011
【図１０】
2019122975.tif 000012
【図１１】
2019122975.tif 000013
【図１２】
2019122975.tif 000014
【図１３】
2019122975.tif 000015
【図１４】
2019122975.tif 000016
【図１５】
2019122975.tif 000017
【図１６】
2019122975.tif 000018
【図１７】
2019122975.tif 000019
【図１８】
2019122975.tif 000020